(57)【要約】【課題】引戸を斜めに引き込むことができる引戸装置を提供する。【解決手段】引戸装置１は、引戸２が本体３に対して開き位置から閉じ位置まで引込み方向Ａに移動するのを誘導し、引戸２が閉じ位置に到るまでに引戸２の正面視において前方又は後方に移動するのを誘導するレール７ａ，７ｂと、本体３及び引戸２の一方に設けられる棒状のトリガ８と、本体３及び引戸２の他方に設けられ、引戸２が前方又は後方に移動できるように、トリガ８を軸方向Ｄに摺動しながら引き込む引込み装置９´と、を備える。【選択図】図８
2020041298.tif 000002
【特許請求の範囲】
【請求項１】
引戸が本体に対して開き位置から閉じ位置まで引込み方向に移動するのを誘導し、前記引戸が前記閉じ位置に到るまでに前記引戸の正面視において前方又は後方に移動するのを誘導するレールと、
前記本体及び前記引戸の一方に設けられる棒状のトリガと、
前記本体及び前記引戸の他方に設けられ、前記引戸が前記前方又は前記後方に移動できるように、前記トリガを軸方向に摺動しながら引き込む引込み装置と、を備える引戸装置。
【請求項２】
前記トリガの前記軸方向の両端部が、前記一方に取り付けられるブラケットに支持されることを特徴とする請求項１に記載の引戸装置。
【請求項３】
前記引戸が前記前方又は前記後方への移動を開始する平行移動開始位置は、前記引込み装置が前記トリガに係合して引込みを開始する引込み開始位置よりも前記閉じ位置側にあることを特徴とする請求項１又は２に記載の引戸装置。
【発明の詳細な説明】
【技術分野】
【０００１】
本発明は、引込み装置を備え、引戸が閉じ位置まで移動するようにした引戸装置に関する。
【背景技術】
【０００２】
引込み装置を備え、引戸が閉じ位置まで移動するようにした引戸装置が知られている（例えば特許文献１参照）。この引戸装置は、レールと、トリガと、引込み装置と、を備える。レールは、本体に取り付けられて、引戸が開き位置から閉じ位置まで引込み方向に移動するのを誘導する。トリガは、本体及び引戸のいずれか一方に取り付けられる。引込み装置は、本体及び引戸の他方に取り付けられる。引込み装置がトリガを引き込むことによって、引戸が閉じ位置まで移動する。
【先行技術文献】
【特許文献】
【０００３】
【特許文献１】特開２０１１−２１４３４３号公報
【発明の概要】
【発明が解決しようとする課題】
【０００４】
ところで、引戸には、閉じ位置に到るまでに引戸の正面視において前方又は後方に移動する引戸が存在する。この引戸を使用すれば、例えば引戸の閉じ位置において引戸と壁面とをフラットにすることができるので、見栄えをよくすることができる。この引戸にも、引込み機能を付与することが望まれる。
【０００５】
しかし、従来の引戸装置にあっては、引き込み方向に直線的に引戸を引き込むことはできても、引戸の正面視において前方又は後方に移動する引戸を斜めに引き込むことができない。なぜならば、引戸が前方又は後方に移動すると、引込み装置とトリガの係合が外れてしまうからである。
【０００６】
そこで、本発明は、引戸を斜めに引き込むことができる引戸装置を提供することを目的とする。
【課題を解決するための手段】
【０００７】
上記課題を解決するために、本発明の一態様は、引戸が本体に対して開き位置から閉じ位置まで引込み方向に移動するのを誘導し、前記引戸が前記閉じ位置に到るまでに前記引戸の正面視において前方又は後方に移動するのを誘導するレールと、前記本体及び前記引戸の一方に設けられる棒状のトリガと、前記本体及び前記引戸の他方に設けられ、前記引戸が前記前方又は前記後方に移動できるように、前記トリガを軸方向に摺動しながら引き込む引込み装置と、を備える引戸装置である。
【発明の効果】
【０００８】
本発明によれば、引込み装置が棒状のトリガを軸方向に摺動しながら引き込むので、引戸を斜めに引き込むことができる。
【図面の簡単な説明】
【０００９】
【図１】本発明の第１の実施形態の引戸装置（引戸が開き位置にあるとき）を下方側から見た斜視図である。
【図２】本実施形態の引戸装置（引戸が閉じ位置にあるとき）を下方側から見た斜視図である。
【図３】本実施形態の引戸装置の戸先用戸車を示す図である（図３（ａ）は下方側から見たときの斜視図、図３（ｂ）は側面図）。
【図４】本実施形態の引戸装置の引込み装置の斜視図である（図４（ａ）はキャッチャが待機位置にあるとき、図４（ｂ）はキャッチャが引込み位置にあるとき）。
【図５】本実施形態の引戸装置の引込み装置の断面図である（図５（ａ）はキャッチャが待機位置にあるとき、図５（ｂ）はキャッチャが引込み位置にあるとき）。
【図６】本実施形態の引戸装置のトリガの詳細図である（図６（ａ）は上方から見たトリガの斜視図、図６（ｂ）はトリガの側面図）。
【図７】引戸が開き位置にあるときの引戸装置を示す図である（図７（ａ）は引戸装置の背面図を示し、図７（ｂ）は引戸装置の底面図）。
【図８】引戸が引込み開始位置にあるときの引戸装置を示す図である（図８（ａ）は引戸装置の背面図を示し、図８（ｂ）は引戸装置の底面図）。
【図９】引戸が閉じ位置にあるときの引戸装置を示す図である（図９（ａ）は引戸装置の背面図を示し、図９（ｂ）は引戸装置の底面図）。
【図１０】本発明の第２の実施形態の引戸装置（引戸が閉じ位置にあるとき）を下方側から見た斜視図である。
【図１１】本発明の第２の実施形態の引戸装置を示す図である（図１１（ａ）は側面図、図１１（ｂ）は底面図）。
【発明を実施するための形態】
【００１０】
以下、添付図面に基づいて、本発明の実施形態の引戸装置を説明する。ただし、本発明の引戸装置は種々の形態で具体化することができ、本明細書に記載される実施形態に限定されるものではない。本実施形態は、明細書の開示を十分にすることによって、当業者が発明の範囲を十分に理解できるようにする意図をもって提供されるものである。
（第１の実施形態）
【００１１】
図１及び図２は、本発明の第１の実施形態の引戸装置１を下方側から見た斜視図を示す。図１は引戸２の開き位置を示し、図２は引戸２の閉じ位置を示す。２は引戸、３は本体、４は本体の上枠、５は本体の開口部、６は本体の壁である。
【００１２】
引戸装置１は、レール７ａ，７ｂと、トリガ８と、引込み装置９´と、を備える。レール７ａ，７ｂは、本体３に取り付けられる。トリガ８は、本体３に取り付けられる。引込み装置９´は、引戸２に取り付けられる。トリガ８と引込み装置９´は、レール７ａ，７ｂの外側に配置される。本体３の開口部５の上枠４の下面には、レール７ａ，７ｂ、トリガ８、引込み装置９´を隠すための目隠し板１０が設けられる。
【００１３】
レール７ａ，７ｂは、上枠４の下面に取り付けられる。レール７ａ，７ｂは、引戸２が本体３に対して開き位置から閉じ位置まで引込み方向Ａ（図１参照）に移動するのを誘導し、引戸２が閉じ位置に到るまでに引戸２の正面視において前方Ｂ（図１参照）に移動するのを誘導する。ここで、正面視とは、引戸２を表側から見ることをいう。図１、図２には、引戸２を裏側から見たときの斜視図が示されている。
【００１４】
レール７ａ，７ｂは、戸先側に配置される戸先用レール７ａと、戸尻側に配置される戸尻用レール７ｂと、を備える。戸先用レール７ａは、直線レール７ａ１と、直線レール７ａ１の端部に連結され、直線レール７ａ１に対して曲がっている傾斜レール７ａ２と、を備える。戸尻用レール７ｂも、直線レール７ｂ１と、直線レール７ｂ１の端部に連結され、直線レール７ｂ１に対して曲がっている傾斜レール７ｂ２と、を備える。直線レール７ａ１と直線レール７ｂ１とは互いに平行である。傾斜レール７ａ２と傾斜レール７ｂ２とは互いに平行である。
【００１５】
戸先用レール７ａ内を戸先用戸車１１ａが走行する。戸尻用レール内７ｂを戸尻用戸車１１ｂが走行する。戸先用戸車１１ａと戸尻用戸車１１ｂが直線レール７ａ１，７ｂ１内を走行する際、引戸２は引込み方向Ａに直線的に移動する。戸先用戸車１１ａと戸尻用戸車１１ｂが傾斜レール７ａ２，７ｂ２内を走行する際、引戸２は引込み方向Ａと前方Ｂに対して傾斜する方向Ｃに斜めに平行移動する。傾斜レール７ａ２と傾斜レール７ｂ２は互いに平行なので、引戸２は斜めに平行移動する。
【００１６】
図３は、戸先用戸車１１ａを示す。図３（ａ）は、戸先用戸車１１ａを下方側から見たときの斜視図を示し、図３（ｂ）は、戸先用戸車１１ａの側面図を示す。戸先用戸車１１ａは、戸車本体２１と、戸車本体２１の左右の側面に回転可能に取り付けられる左右一対の車輪２２ａ，２２ｂと、を備える。戸車本体２１には、下方に突出する吊ボルト２３が設けられる。吊ボルト２３は、戸先用レール７ａの開口部２４（図１参照）から下方に突出する。吊ボルト２３には、締結部材２５ａ，２５ｂによってブラケット２６が取り付けられる。ブラケット２６は、引戸２の裏面に取り付けられる。
【００１７】
戸尻用戸車１１ｂは戸先用戸車１１ａと略同一の構成であるので、同一の符号を附してその説明を省略する。図２に示すように、戸尻用戸車１１ｂの吊ボルト２３には、ブラケット２７が取り付けられる。ブラケット２７の引戸２からの突出長さは、ブラケット２６の引戸２からの突出長さよりも短い。戸尻用レール７ｂが戸先用レール７ａよりも引戸２の近くに配置されるからである。戸先用戸車１１ａ及び戸尻用戸車１１ｂの構成は公知であるので、これ以上の詳しい説明を省略する。
【００１８】
図４は、引込み装置９の斜視図を示し、図５は引込み装置９の断面図を示す。図４（ａ）、図５（ａ）は、引込み装置９のキャッチャ３２の待機位置を示し、図４（ｂ）、図５（ｂ）は、キャッチャ３２の引込み位置を示す。引込み装置９は、ケース３１と、ケース３１内にスライド可能に設けられるキャッチャ３２と、キャッチャ３２を引き込むばね３３（図５も参照）と、を備える。
【００１９】
図４に示すように、ケース３１は、扁平な直方体状で、引込み方向に延びる。ケース３１の上面には、キャッチャ３２を露出させる開口３１ａが形成される。ケース３１の一対の側壁３１ｂそれぞれには、ケース３１の長さ方向に直線状に延びると共に、先端部が下方に湾曲する溝３１ｃが形成される。図２に示すように、引込み装置９はブラケット３０を介して引戸２に取り付けられる。
【００２０】
キャッチャ３２は、ケース３１の一対の側壁３１ｂ間に挟まれて、側壁３１ｂ間をスライドする。キャッチャ３２の一対の側面それぞれには、溝３１ｃに嵌る２つの突起３２ａ，３２ｂが形成される。キャッチャ３２のスライドは、溝３１ｃによって案内される。また、キャッチャ３２の姿勢は、溝３１ｃによって制御される。キャッチャ３２には、トリガ８を捕捉するためのＵ字状の捕捉部３２ｃが形成される。
【００２１】
図５に示すように、ケース３１の端部３１ｄとキャッチャ３２との間には、ばね３３が介在する。ばね３３は、キャッチャ３２を引き込む。ケース３１の端部３１ｄとキャッチャ３２との間には、リニアダンパ３４が介在する。リニアダンパ３４は、ばね３３によって引き込まれるキャッチャ３２を制動する。
【００２２】
図４（ａ）に示すように、待機位置にあるキャッチャ３２がトリガ８を捕捉すると、図４（ｂ）に示すように、キャッチャ３２が回転してキャッチャ３２の突起３２ｂが溝３１ｃの湾曲部から抜け出し、ばね３３の力によってキャッチャ３２が引き込まれる。この実施形態では、トリガ８が本体３に取り付けられているので、引込み装置９のケース３１が引込み方向Ａ（図１参照）に移動し、引戸２が引込み方向Ａに引き込まれる。引込み装置９の構成は公知であるので、これ以上の詳しい説明を省略する。
【００２３】
図４の引込み装置９は、引戸２を閉じ位置にのみ引き込む閉じ用の引込み装置９である。しかし、図２に示すように、引込み装置９´には、引戸２を閉じ位置にも開き位置にも引き込む開閉用の引込み装置９´を使用することもできる。この場合、図２に示すように、ケース３１に２つのキャッチャ３２，３６、すなわち閉じ用キャッチャ３２と開き用キャッチャ３６を設け、ケース３１に２つのキャッチャ３２，３６を引き込む２つのばねを設ける。本体３側に開き用キャッチャ３６に係合するトリガ３７（図２参照）を取り付ければ、引戸２を開き位置に引き込むことができる。この開閉用の引込み装置９´の構成も公知であるので、詳しい説明を省略する。
【００２４】
図６は、トリガ８の詳細図を示す。図６（ａ）は、上方から見たトリガ８の斜視図を示し、図６（ｂ）は、トリガ８の側面図を示す。トリガ８は、軸状である。トリガ８の軸方向の両端部は、ブラケット４１に支持される。ブラケット４１は、コ字状であり、上枠４に取り付けられる基板部４１ｂと、基板部４１ｂの両端に折り曲げられ、互いに対向する一対の側板部４１ａと、を備える。一対の側板部４１ａにトリガ８の両端部が支持される。図１に示すように、ブラケット４１を本体３に取り付けた状態で、トリガ８は引込み方向Ａに直角でかつ水平方向に延びる。ブラケット４１によってトリガ８の両端部を支持することで、水平方向に延びるトリガ８を安定して支持することができる。
【００２５】
図７は、引戸２が開き位置にあるときの引戸装置１を示し、図８は、引戸２が引込み開始位置にあるときの引戸装置１を示し、図９は、引戸２が閉じ位置にあるときの引戸装置１を示す。図７（ａ）〜図９（ａ）は引戸装置１の背面図を示し、図７（ｂ）〜図９（ｂ）は引戸装置１の底面図を示す。
【００２６】
図７に示すように、引戸２が開き位置にあるとき、引込み装置９´の開き用キャッチャ３６がトリガ３７を捕捉する。このため、引戸２には引込み装置９´によって開き方向に付勢力が働き、引戸２が開き位置に保たれる。
【００２７】
図８に示すように、利用者が引戸２を開き位置から引込み方向に移動させると、開き用キャッチャ３６とトリガ３７との係合が外れ、閉じ用キャッチャ３２がトリガ８に係合する。図８に示す引戸２の位置が引戸２の引込み開始位置である。この引込み開始位置において、戸先用戸車１１ａは戸先用レール７ａの直線レール７ａ１内に位置し、戸尻用戸車１１ｂは戸尻用レール７ｂの直線レール７ｂ１内に位置する。
【００２８】
引込み装置９´がトリガ８を引き込むと、引込み装置９´のケース３１と引戸２は矢印で示す引込み方向Ａに直線的に移動する。引戸２が引込み装置９´によって引込み方向Ａに移動すると、引戸２が傾斜レール７ａ２，７ｂ２に沿って斜めに移動を開始する。
【００２９】
引戸２が斜めに移動すると、引込み装置９´は、トリガ８を軸方向Ｄに摺動しながら引き込む。これにより、引戸２の傾斜レール７ａ２，７ｂ２に沿った斜め（斜め方向Ｃ）の移動が許容される。このとき、引込み装置９´のキャッチャ３２はトリガ８を捕捉した状態でトリガ８の軸方向Ｄに摺動する。引込み装置９´のケース３１（図４参照）は引戸２と共に傾斜レール７ａ２，７ｂ２に沿って斜め（斜め方向Ｃ）に移動する。
【００３０】
引戸２が斜めに移動を開始する平行移動開始位置は、引込み開始位置よりも閉じ位置側にある。これにより、引戸２が引込み方向Ａに直線的に移動する間に引込み力を働かせることができ、利用者が引戸２を閉じるのが容易になる。なお、平行移動開始位置を引込み開始位置よりも開き位置側に配置することも可能である。
【００３１】
図９に示すように、引込み装置９´による引戸２の引込みは、引戸２が閉じ位置に移動するまで継続する。トリガ８の軸方向の長さは、引戸２の前方への移動を許容できるように引戸２の前方への移動量より長い。引戸２の閉じ位置において、引戸２には引込み装置９´によって斜め方向の付勢力が働き、引戸２の閉じ位置が保たれる。引戸２の閉じ位置において、引戸２の表側の面２ａと本体３の壁部６の表面６ａとはフラットになる。
（第２の実施形態）
【００３２】
図１０は、本発明の第２の実施形態の引戸装置５１を下方から見た斜視図を示す。図１１（ａ）は、第２の実施形態の引戸装置５１の側面図を示し、図１１（ｂ）は底面図を示す。これらの図において、引戸２は閉じ位置にある。２は引戸、３は本体、４は本体の上枠、５は本体の開口部、６は本体の壁である。
【００３３】
第２の実施形態の引戸装置５１も、レール７ａ，７ｂと、トリガ８と、引込み装置９と、を備える。レール７ａ，７ｂ、戸先用戸車１１ａ、戸尻用戸車１１ｂの構成は、第１の実施形態と同一なので、同一の符号を附してその説明を省略する。また、トリガ８自体の構成は、第１の実施形態と略同一であるので、同一の符号を附してその説明を省略する。引込み装置には、図４に示す閉じ用の引込み装置９を用いる。
【００３４】
第２の実施形態では、トリガ８を引戸２に取り付け、引込み装置９を本体３に取り付ける点が第１の実施形態と相違する。トリガ８を引戸２に取り付け、引込み装置９を本体３に取り付けても、引込み装置９が棒状のトリガ８を軸方向に摺動しながら引き込むことができる。このため、引戸２を斜めに引き込むことができる。
【００３５】
なお、本発明は上記実施形態に具現化されるのに限られることはなく、本発明の要旨を変更しない範囲で様々な実施形態に変更できる。
【００３６】
上記実施形態では、引戸を引戸の正面視において前方に移動させ、引戸と壁面とをフラットにしているが、引戸を引戸の正面視において後方に移動させ、引戸を壁面とをフラットにすることもできる。
【００３７】
また、上記実施形態では、引戸の閉じ位置において引戸と壁面とをフラットにしているが、引戸の閉じ位置において引戸と壁面とをフラットにしなくてもよい。例えば、開口部の気密性を向上させるために、引戸を正面視において前方に移動させ、引戸を開口部の枠に設けたパッキンに密着させることもできる。
【００３８】
上記実施形態では、引戸の閉じ位置において引戸と壁面とをフラットにしているが、引戸の閉じ位置において引戸と隣接する引戸とをフラットにすることもできる。
【００３９】
上記実施形態の引込み装置の構成は一例であり、例えばダンパを省略する等、本発明の要旨を変更しない範囲で他の構成を採用し得る。
【符号の説明】
【００４０】
１，５１…引戸装置
２…引戸
３…本体
７ａ…戸先用レール（レール）
７ｂ…戸尻用レール（レール）
８…トリガ
９，９´…引込み装置
４１…ブラケット
Ａ…引込み方向
Ｂ…前方
Ｃ…斜め方向
Ｄ…軸方向
【図１】
2020041298.tif 000003
【図２】
2020041298.tif 000004
【図３】
2020041298.tif 000005
【図４】
2020041298.tif 000006
【図５】
2020041298.tif 000007
【図６】
2020041298.tif 000008
【図７】
2020041298.tif 000009
【図８】
2020041298.tif 000010
【図９】
2020041298.tif 000011
【図１０】
2020041298.tif 000012
【図１１】
2020041298.tif 000013